(57)【要約】  本発明は、本体の上壁または中間壁に水平な第１の軸を中心にして回動可能に取り付けられている上扉と、前記第１の軸に平行な第２の軸を中心にして前記上扉と回動可能に連結されている下扉とを備えている折り畳み式二枚扉用持ち上げ装置であって、本体側部に水平な回転軸を中心に回動可能に取り付けられているとともに、２つのアームを有し、その長い方のアームが前記下扉と回動可能に連結されている少なくとも１つのレバーからなる持ち上げ装置に関する。前記２つの扉を回動可能に連結するためのヒンジには、前記扉のうち一方に形成されているヒンジ用窪みと、他方の扉に固定されているヒンジアームとが設けられているとともに、該ヒンジは、前記ヒンジ用窪み内に配置した回転軸を有しており、前記他方の扉における前記回転軸に最も近い端部から前記回転軸までの距離（Ａ）から前記一方の扉の内面から前記回転軸までの距離（Ｔ）を減算すると、使用者の指の厚みより小さい値（Ｆ）になるようにするとともに、前記折り畳み式扉が閉鎖しているとき、前記持ち上げ装置のレバーの回転軸は、前記２つの扉の間の回転軸と、前記上扉と前記本体の上壁とを連結するヒンジの回転軸とともに、４リンク系を構成しており、対向する脚部はほぼ平行に伸びているとともに、これら脚部の長さの差は２０％しかない。
2009501853.tif 000002
【特許請求の範囲】
【請求項１】
本体の上壁または中間壁に水平な第１の軸を中心にして回動可能に取り付けられている上扉と、前記第１の軸に平行な第２の軸を中心にして前記上扉と回動可能に連結されている下扉とを備えている折り畳み式二枚扉用持ち上げ装置であって、本体側部に水平な回転軸を中心に回動可能に取り付けられているとともに、２つのアームを有し、その長い方のアームが前記下扉と回動可能に連結されている少なくとも１つのレバーからなる持ち上げ装置において、
前記２つの扉を回動可能に連結するためのヒンジには、前記扉のうち一方に形成されているヒンジ用窪みと、他方の扉に固定されているヒンジアームとが設けられているとともに、該ヒンジは、前記ヒンジ用窪み内に配置した回転軸を有しており、前記他方の扉における前記回転軸に最も近い端部から前記回転軸までの距離（Ａ）から前記一方の扉の内面から前記回転軸までの距離（Ｔ）を減算すると、使用者の指の厚みより小さい値（Ｆ）になるようにするとともに、
前記折り畳み式扉が閉鎖しているとき、前記持ち上げ装置のレバーの回転軸は、前記２つの扉の間の回転軸と、前記上扉と前記本体の上壁とを連結するヒンジの回転軸とともに、４リンク系を構成しており、対向する脚部はほぼ平行に伸びているとともに、これら対向する脚部の長さの差は２０％以下であることを特徴とする装置。
【請求項２】
前記ヒンジ用窪みが前記下扉に形成されていることを特徴とする請求項１に記載の持ち上げ装置。
【請求項３】
前記ヒンジアームが３つの座標方向に選択的に調整可能であることを特徴とする請求項１または２に記載の持ち上げ装置。
【請求項４】
前記上扉と家具の上壁とを連結するヒンジの回転軸と、前記レバーの上回転軸との間の４リンク系の脚部が、前記２つの扉の間の回転軸と、前記レバーの下回転軸との間の脚部よりも２０％長いことを特徴とする請求項１ないし３のうちいずれか１項に記載の持ち上げ装置。
【請求項５】
前記レバーの上回転軸と下回転軸との間の４リンク系の脚部が、前記２つの扉の間の回転軸と、前記上扉と家具の上壁とを連結するヒンジの回転軸との間の脚部よりも１５％短いことを特徴とする請求項１ないし４のうちいずれか１項に記載の持ち上げ装置。
【請求項６】
前記レバーは、下扉との連結部近傍に、偏心した摩擦装置の作用を受けることによって、前記扉の回転速度が変化したり、前記持ち上げ装置がいかなる中間姿勢も取ることができたりすることを特徴とする請求項１ないし５のうちいずれか１項に記載の持ち上げ装置。
【請求項７】
圧縮ばね要素の一端が前記本体側部に回動可能に連結するとともに、他端が前記２つのアームを有するレバーに回動可能に連結する請求項１ないし６のうちいずれか１項に記載の持ち上げ装置。
【請求項８】
前記ばね要素がガススプリングであることを特徴とする請求項７に記載の持ち上げ装置。
【請求項９】
前記折り畳み式扉の前記扉同士が少なくとも１つのヒンジによって連結されており、前記少なくとも１つのヒンジは、木製扉用の通常のヒンジ用窪みに回動可能に取り付けできるように、あるいは、一体成形物からなる扉を用いる際には、より小さい寸法のヒンジ用窪みに取り付けできるように、回転軸を有する端部の寸法が決められているヒンジアームを備えていることを特徴とする請求項１ないし８のうちいずれか１項に記載の持ち上げ装置。
【請求項１０】
前記折り畳み式扉の前記扉同士が少なくとも１つのヒンジによって連結されており、前記少なくとも１つのヒンジは、木製扉用の通常のヒンジ用窪みに挿入できるように、あるいは、一体成形物からなる扉を用いる際には、より小さい寸法のヒンジ用窪みに挿入できるように寸法が選択されている延長アームを有していることを特徴とする請求項１ないし８のうちいずれか１項に記載の持ち上げ装置。
【発明の詳細な説明】
【技術分野】
【０００１】
本発明は、請求項１の前提部に主張している折り畳み式二枚扉用持ち上げ装置に関する。
【背景技術】
【０００２】
上扉が水平な第１の軸を中心に戸棚の上壁または中間壁に回動可能に取り付けられるとともに、下扉が前記第１の軸と平行な第２の軸を中心に前記上扉に対して回動可能に連結されている折り畳み式二枚扉用持ち上げ装置は独国実用新案第２０１００６６２Ｕ号から公知である。前記持ち上げ装置は、水平な回転軸を中心に上記戸棚の本体側部に対して回動可能にヒンジで取り付けられているとともに、二つのアームを有し、その長い方のアームが上記下扉に連結されている、少なくとも一つのレバーを備えている。さらに、一端が上記戸棚の本体側部に回動可能に連結されている一方、他端が上記レバーの短い方のアームに回動可能に連結されている圧縮ばね要素が設けられている。
【０００３】
前記公知の折り畳み式扉は、前記下扉と連結された（図示しないが）必要なハンドルを把持することによって開放される。このハンドルは、前記下扉の下端からある程度距離をあける必要がある。
【０００４】
折り畳み式扉を開放するためにハンドルを設ける必要がない、下扉の下端を引くだけで折り畳み式扉を開放することができる上記タイプの持ち上げ装置を作製することが求められている。
【０００５】
折り畳み式扉用の装置であって、二枚扉の片方同士を連結するヒンジに、折り畳み式扉が閉鎖しているときに前記二枚扉の片方の扉同士が連結箇所で家具本体の方に折り畳まれないようにする止めが設けられている装置が独国実用新案第２０２００５０００４２３０１号から公知である。該公報にはこのように記載されていないが、上記のような構成にすることによって、折り畳み式扉を開放し易くなるとともに、ハンドルを設ける必要がなくなる。しかしながら、前記折り畳み式扉を動かすと、前記二枚扉の片方の扉同士の間に隙間ができる。その隙間に使用者の指が入ってしまうため、使用者が指を挟んで怪我をしてしまう可能性がある。
【０００６】
折り畳み式扉の片方の扉同士を回動可能に連結するためのヒンジであって、折り畳み式扉を閉鎖するときに前記折り畳み式扉の片方の扉同士の間に指を挟まないように安全に設計されているヒンジが独国特許第１０３３５７０９Ａ号および独国実用新案第２０２００５０００８１４Ａ号から公知である。
【発明の開示】
【発明が解決しようとする課題】
【０００７】
本発明の目的は、特別な部品や安全装置を使用せずに使用者の怪我を確実に回避することができる折り畳み式扉用の安全な持ち上げ装置を作製することにある。この目的は、請求項１の前提部分の特徴を持つ一般的なタイプの持ち上げ装置を請求項１の特徴部分の特徴と組み合わせることによって実現する。
【課題を解決するための手段】
【０００８】
従って、本体の上壁または中間壁に水平な第１の軸を中心にして回動可能に取り付けられている上扉と、前記第１の軸に平行な第２の軸を中心にして前記上扉と回動可能に連結されている下扉とを備えている折り畳み式二枚扉用持ち上げ装置が提供される。前記持ち上げ装置は、本体側部に水平な回転軸を中心に回動可能に取り付けられているとともに、２つのアームを有し、その長い方のアームが前記下扉と回動可能に連結されている少なくとも１つのレバーからなる。本発明によれば、前記２つの扉を回動可能に連結するためのヒンジには、前記扉のうち一方に形成されているヒンジ用窪みと、他方の扉に固定されているヒンジアームとが設けられているとともに、該ヒンジは、前記ヒンジ用窪み内に配置した回転軸を有しており、前記他方の扉における前記回転軸に最も近い端部から前記回転軸までの距離（Ａ）から前記一方の扉の内面から前記回転軸までの距離（Ｔ）を減算すると、使用者の指の厚みより小さい値（Ｆ）になるようにする。前記折り畳み式扉が閉鎖しているとき、前記持ち上げ装置のレバーの回転軸は、前記２つの扉の間の回転軸と、前記上扉と前記本体の上壁とを連結するヒンジの回転軸とともに、４リンク系を構成しており、対向する脚部はほぼ平行に伸びているとともに、これら対向する脚部の長さの差は２０％以下である。
【０００９】
本発明の特に好ましい態様は、独立項に従属する従属項から理解できる。
【００１０】
前記ヒンジ用窪みが前記下扉に形成されていることが好ましい。
【００１１】
前記ヒンジアームが３つの座標方向に選択的に調整可能であることが好ましい。
【００１２】
前記上扉と家具の上壁とを連結するヒンジの回転軸と、前記レバーの上回転軸との間の４リンク系の脚部が、前記２つの扉の間の回転軸と、前記レバーの下回転軸との間の脚部よりも２０％長くてもよい。
【００１３】
さらに、前記レバーの上回転軸と下回転軸との間の４リンク系の脚部が、前記２つの扉の間の回転軸と、前記上扉と家具の上壁とを連結するヒンジの回転軸との間の脚部よりも１５％短くてもよい。
【００１４】
前記レバーは、下扉との連結部近傍に、偏心した摩擦装置の作用を受けることによって、前記扉の回転速度が変化したり、前記持ち上げ装置がいかなる中間姿勢も取ることができたりしてもよい。
【００１５】
圧縮ばね要素の一端が前記本体側部に回動可能に連結するとともに、他端が前記２つのアームを有するレバーに回動可能に連結することが好ましい。
【００１６】
前記ばね要素がガススプリングであることが好ましい。
【００１７】
本発明の更なる細部および利点は、図面で例示する実施形態によってより詳細に説明されるであろう。
【発明を実施するための最良の形態】
【００１８】
図１は、戸棚または戸棚や整理ダンスのようなものなどの本体の側面図である。ここでは、該本体の開口部は、回動可能に連結された二枚の扉１２，１４からなる折り畳み式扉１６によって閉鎖されている。図中においては、前記折り畳み式扉用持ち上げ装置１８が見えるように、正面の壁が取り除かれている。この折り畳み式扉１６の上扉１２は一般的な方法により上記本体の上壁２０に二つのデュアルリンク式ヒンジ２２で取り付けられているため、これらのデュアルリンク式ヒンジ２２により位置が定められた回転軸２４を中心に回動可能になっている。
【００１９】
下扉１４は、別のヒンジ２６によって前記上扉１２に対して回動可能に連結されている。前記下扉１４には、前記連結部２６のためのヒンジ用窪み２８が形成されている。一方、前記上扉１２には、前記連結部２６のヒンジアーム３０が取り付けられている。前記連結部２６によって回転軸３２の位置が決められており、前記折り畳み式扉の前記二枚扉１２および１４は、前記回転軸３２を中心に互いに回動可能である。
【００２０】
独国実用新案第２０１００６６２Ｕ号から既知なように、前記持ち上げ装置１８は、図１に簡単に示す２つのアームを有するレバー３４を有している。前記レバー３４は、取り付け金具３６とともにピボットポイント３８を構成しており、該取り付け金具３６は、前記下扉１４と連結されている。前記ピボットポイント３８は水平な回転軸でもあり、簡単にするため、これも３８とする。前記レバー３４の上方のピボットポイントによって別の回転軸４０が構成されている。
【００２１】
２つのアームを有するレバーアーム３４の完全な機能が、例えば、図４から理解できる。図４には、２つのアームを有するレバー３４の短い方のレバーアームも示している。レバー３４の短い方のレバーアームは、ガススプリング４２によって連結されており、該ガススプリング４２は、その自由端で本体に対して回動可能に取り付けられている。
【００２２】
拡大図の図２において、請求項１の特徴部分の第１の特徴が説明される。この図においては、回転軸３２と上扉１２における回転軸３２に最も近い端部４４との間の距離Ａが示されている。また、回転軸３２と回転軸３２が設けられている扉（この場合、下扉１４）の内面との間の距離も示されている。この距離Ｔを距離Ａから引くと値Ｆになる。このＦは、使用者の指の厚みより小さくなければならない。端部４４からの距離Ｆが図２に示されており、結果として、２つの二枚扉１２と１４との間の隙間が小さいため、扉１４が、動作中に扉１２と直交する一点破線で示す位置にあっても、その隙間に指を挟む可能性がないことが明確に分かる。
【００２３】
図４および図５によって、折り畳み式扉１６の扉１２および１４が様々な姿勢になっても、ヒンジ用窪み１４の回転軸３２にヒンジアーム３０を連結した際に、指を挟むことのない距離が選択されていることが明確に分かる。
【００２４】
図１を簡単に見ると、破線で平行四辺形を示しており、この平行四辺形は回転軸２４，３２，３８，４０からなるリンク系によって構成されている。厳密には平行四辺形になっていないが、破線で示す仮想脚部はほぼ平行四辺形になるよう配置されている。下扉１４が閉鎖位置から図５に示す下方中間位置にほぼ平行に移動すればそれだけ平行四辺形に近くなる。使用者は下扉の下端によって前記折り畳み式扉を開放するが、前記折り畳み式扉の閉鎖位置では、二枚扉１２および１４は、連結箇所で本体の方に実質的に折り畳まれないようになっている。
【００２５】
回転軸４０と回転軸２４との間の仮想脚部５２は、回転軸３８と回転軸３２との間の仮想脚部５４よりも約２０％長いことが好ましい。また、回転軸３２と回転軸２４との間の仮想脚部５６は、回転軸３８と回転軸４０との間の仮想脚部５０よりも約１５％長いことが好ましい。こうして、下扉１４は、開放方向に最初にほぼ平行に移動して図５に示す上方の位置に到達できる。本発明によれば、下扉はほぼ平行に移動しているので、前記リンク系は、平行四辺形により近似させることができる。前記平行四辺形の配置は、本体内部にいかに手を届き易くするかにも左右される。
【００２６】
図３には、本発明の特定の態様を示す。持ち上げ装置のレバー３４は、ピボットポイント３８の近傍で、偏心して配置された既知の摩擦装置６０を介して下扉の取り付け金具３６と当接している。前記摩擦装置６０は、持ち上げ装置１８のレバー３４と協動し、折り畳み式扉の回転速度を調整したり、摩擦力を付与することによって所望の中間姿勢をほぼ維持したりできる。
【００２７】
図６ａ，６ｂ，７ａ，７ｂ，８ａ，８ｂ，９ａ，９ｂ，１０ａ，１０ｂ，１１ａ，１１ｂには、折り畳み式扉１６の上扉１２と下扉１４とを連結するヒンジの様々な実施形態を示す。扉１２および１４は、別々の材料で作製できる。本明細書では、扉１２および１４の材料として木材を使用できる。他の材料としては、一体成形物、チップボード、またはガラスを使用できる。全実施形態において、前記上下扉は、回転軸３２を中心に回転し、該回転軸３２は、下扉に形成されたヒンジ用窪みに配置されたピンによって構成されている。
【００２８】
図６に示す実施形態では、ヒンジ２６は、図２に既に示したヒンジに対応している。本実施形態では、ヒンジアーム３０は、４リンク式ヒンジについて既知の通常の方法で形成されている。したがって、ヒンジアーム３０は、取付板を介して３つの座標方向に調整可能である。ヒンジアーム３０は延長アーム３１によって連結され、該延長アームは、連結用の普通のピンによって固定されている。前記ヒンジ用窪みのフランジが、扉の端部と逆方向に向いており、アーム３１は、ヒンジ用窪みのより狭い箇所に保持されている。図７に示す実施形態から分かるように、一体成形物にピンを取り付けるためのヒンジ用窪み２８'を用いる場合、アーム３１をリストピン３２近傍に回動可能に取付できるようなな延長アーム３１の寸法を選択している。本実施形態では、ヒンジ用窪み２８'は比較的小さくなる。
【００２９】
図８に示す実施形態では、アーム３１'が、ピンを介して、（図６および図７に示すような）ヒンジアーム３０ではなく、ヒンジ用窪み２９と連結する。こうして、２つの扉１２および１４は、極めてコンパクトで場所を取らないように回動可能に連結されている。
【００３０】
同様に、図９に示すように、扉１２は下扉１４'と連結されており、該下扉１４'は、一体成形物からなり、同様にヒンジ用窪み２８'が設けられている。
【００３１】
図１０および図１１に示す実施形態では、上扉１２'は、一体成形物から形成されているとともに、アーム３１'は、同様に、対応するヒンジ部２９'に取り付けられている。下扉１４，１４'は、前述の実施形態の扉と対応している。
【００３２】
全実施形態において、様々なヒンジ部の固定手段の寸法が決められており、固定手段や様々な家具の部品１２，１２'，１４，１４'は、これらの長所は保ちつつ、持ち上げ装置に対して影響を及ぼすことなく置き換えできる。
【図面の簡単な説明】
【００３３】
【図１】持ち上げ装置と連結されている折り畳み式扉の閉鎖位置における本発明の実施形態に係る持ち上げ装置の側面図である。
【図２】幾何学的形状を示す図１の詳細図である。
【図３】レバーの継ぎ目の下方部分にある偏心した摩擦装置を示す図１の詳細図である。
【図４】折り畳み式扉の閉鎖位置と、僅かに開放した位置とを示す前記持ち上げ装置の図１対応図である。
【図５】前記折り畳み式扉の途中まで開放された位置と、完全に開放された位置とを示す前記持ち上げ装置の図１対応図である。
【図６】折り畳み式扉の上扉と下扉とを連結させる様々なタイプのヒンジを示す部分断面図および上面図である。
【図７】折り畳み式扉の上扉と下扉とを連結させる様々なタイプのヒンジを示す部分断面図および上面図である。
【図８】折り畳み式扉の上扉と下扉とを連結させる様々なタイプのヒンジを示す部分断面図および上面図である。
【図９】折り畳み式扉の上扉と下扉とを連結させる様々なタイプのヒンジを示す部分断面図および上面図である。
【図１０】折り畳み式扉の上扉と下扉とを連結させる様々なタイプのヒンジを示す部分断面図および上面図である。
【図１１】折り畳み式扉の上扉と下扉とを連結させる様々なタイプのヒンジを示す部分断面図および上面図である。
【図１】
2009501853.tif 000003
【図２】
2009501853.tif 000004
【図３】
2009501853.tif 000005
【図４】
2009501853.tif 000006
【図５】
2009501853.tif 000007
【図６】
2009501853.tif 000008
【図７】
2009501853.tif 000009
【図８】
2009501853.tif 000010
【図９】
2009501853.tif 000011
【図１０】
2009501853.tif 000012
【図１１】
2009501853.tif 000013
【国際調査報告】
2009501853.tif 000014
2009501853.tif 000015
2009501853.tif 000016
2009501853.tif 000017
2009501853.tif 000018
2009501853.tif 000019